(57)【特許請求の範囲】
【請求項１】
ガス通路面積を変化させてガスバーナーへの燃料ガスの供給量を調節する可動弁を備え、内部がダイヤフラムで仕切られて一方の上流室と他方の下流室とを該可動弁の上流側及び下流側のガス通路にそれぞれ接続したチャンバを設けたガス器具の火力調節装置において、
燃料ガスを流した場合に部分的にガス通路内部の圧力が降下する領域がつくられるように可動弁の下流側のガス通路を形成し、ガス通路とチャンバの下流室との間の接続を、圧力を降下させる領域と、該領域の上流側とにそれぞれ開設され相互に隔絶された少なくとも２本の連通路を介して行ったことを特徴とするガス器具の火力調節装置。
【請求項２】
前記圧力を降下させる領域は、ガス通路内を流れる燃料ガスの流速を増加させる絞り部であることを特徴とする請求項１記載のガス器具の火力調節装置。
【発明の詳細な説明】
【０００１】
【発明の属する技術分野】
本発明は、ガスバーナーへ供給する燃料ガス量を調節するガス器具の火力調節装置に関する。
【０００２】
【従来の技術】
例えば、ガスコンロのガスバーナーでは、該ガスバーナーの混合管に噴射ノズルから燃料ガスを噴射すると共に該燃料ガスの噴射に伴うエゼクタ効果によって噴射ノズル周辺の空気を該混合管に吸込ませ、適正な比率の混合ガスがガスバーナーに供給されるように構成されている。ガスバーナーの火力調節は、ガスコンロの前面の火力調節レバーによって噴射ノズルに連なるガス通路に介設した絞り弁を操作してガス通路の通路面積を調節し、噴射ノズルからの燃料ガス噴射量を増減させて行われる。
【０００３】
ガスバーナーの点火後には、絞り弁を操作して噴射ノズルからの燃料ガス噴射量を減少させると空気の吸込量が減少し、他方で、噴射ノズルからの燃料ガス噴射量を増加させると空気の吸込量が増加するので、ガスバーナーには所定の混合比に保たれた混合ガスが供給される。ところが、絞り弁を強火状態から弱火状態に急激に操作した場合（以下、「急速絞り操作」という）、エゼクタ効果によって吸込まれる空気の慣性により混合管に吸込まれる空気の減少速度は、燃料ガスの減少速度より遅くなる。このため、空気に対する燃料ガスの混合比が低下し、併せてガスバーナーに供給される混合ガスの量が減少することでガスバーナーが失火する場合があった。
【０００４】
このため、従来のガス器具の火力調節装置では、内部がダイヤフラムで仕切られて一方の上流室と他方の下流室とが絞り弁の上流側及び下流側のガス通路にそれぞれ接続されたチャンバを設けている（例えば、特開平７ー３０５８３６号公報参照）。
【０００５】
この場合、急速絞り操作が行なわれると、絞り弁の下流側のガス通路内の圧力が急激に低下し、絞り弁の上流側のガス通路との間には圧力差が生じるので、チャンバの上流室から、圧力が低下した下流室の方向にダイヤフラムが押され、該下流室に蓄えられている燃料ガスが下流側のガス通路に押し出される。そして、この押し出された燃料ガスが補充されることでガス供給量の減少速度が緩和され、ガスバーナーの失火が防止される。
【０００６】
【発明が解決しようとする課題】
ところで、ガスバーナーを消火するとガス通路及びチャンバ内は大気開放され、この状態で長時間放置するとガス通路及びチャンバ内部は空気に置換され、下流室に空気が充満した状態となる。この場合、上記のものでは、長時間放置した後にガスバーナーの点火を行い、その後に急速絞り操作が行われると、下流室内の空気が下流側のガス通路に流れるので、ガス供給量の減少速度を緩和することができず、空気過剰によりガスバーナーが失火する場合があるという問題があった。
【０００７】
そこで、本発明は、上記問題点に鑑み、長時間放置したガス器具を点火した後に急速絞り操作が行われた場合でもガスバーナーの失火が確実に防止できるガス器具の火力調節装置を提供することを課題とする。
【０００８】
【課題を解決するための手段】
この課題を解決するため、本発明のガス器具の火力調節装置は、ガス通路面積を変化させてガスバーナーへの燃料ガスの供給量を調節する可動弁を備え、内部がダイヤフラムで仕切られて一方の上流室と他方の下流室とを該可動弁の上流側及び下流側のガス通路にそれぞれ接続したチャンバを設けたガス器具の火力調節装置において、燃料ガスを流した場合に部分的にガス通路内部の圧力が降下する領域がつくられるように可動弁の下流側のガス通路を形成し、ガス通路とチャンバの下流室との間の接続を、圧力を降下させる領域と、該領域の上流側とにそれぞれ開設され相互に隔絶された少なくとも２本の連通路を介して行ったことを特徴とする。
【０００９】
本発明によれば、ガスバーナーの点火操作に伴ってガス通路に燃料ガスを流すと、ガス通路内部の圧力差により、圧力が降下した領域の上流側のガス通路とチャンバの下流室とを接続する一方の連通路から、チャンバの下流室を介して圧力が降下した領域とチャンバの下流室とを接続する他方の連通路へのガス流が生じるので、下流室内部の空気が他方の連通路へと押し出されてガス通路に排出されると共に、圧力が降下した領域の上流側のガス通路から一方の連通路を介して下流室に燃料ガスが吸込まれる。これにより、下流室内部の空気が燃料ガスに置換される。
【００１０】
前記圧力を降下させる領域は、例えば、ガス通路内を流れる燃料ガスの流速を増加させる絞り部とすればよい。
【００１１】
【発明の実施の形態】
図１を参照して、１は、例えば、ガスコンロのコンロ本体に設けたガスバーナー（図示せず）の混合管Ｍへの燃料ガスのガス供給量を調節する火力調節装置である。火力調節装置１の下側には、該火力調節装置１への燃料ガスの供給を制御するガスバルブ２がシール材３を介して連結されている。
【００１２】
コンロ本体の前面に設けた点火／消火ボタン４により操作されるガスバルブ２は、上流側（図１の右側）から第１及び第２の収容室２１ａ、２１ｂを有するアルミダイカスト製のバルブケーシング２１を備えている。第１収容室２１ａには電磁安全弁２２が収容されている。また、第２収容室２１ｂには、点火／消火ボタン４がばね５の付勢力に抗して押操作されると、バルブケーシング２１の長手方向に沿って移動して電磁安全弁２２を開弁操作する操作ロッド６の先端部が収容されている。これらの収容室２１ａ、２１ｂは電磁安全弁２２の弁体２２ａによって区画されている。
【００１３】
電磁安全弁２２はマグネットケース２２ｂを備え、このマグネットケース２２ｂには、ガスバーナーの着火時に、例えばガスバーナーの炎口の近傍に配設された熱電対などの火炎検知素子からの信号に基づいて励磁される電磁石とこれに吸着される吸着片とが収容されている。そして、操作ロッド６により押操作されることで弁体２２ａに連結した吸着片が励磁された電磁石に吸着されている間、電磁安全弁２２は開弁状態に保持される。また、第１収容室２１ａに連通するようにバルブケーシング２１には、ガス源に一端が接続されたガス管の他端が接続される燃料ガス流入部２３が設けられている。
【００１４】
第２収容部２１ｂの下流側には、内部を操作ロッド６が貫通するガス通路２４が設けられ、該ガス通路２４は、火力調節装置１のガス通路１１ａに連通するようにバルブケーシング２１に開設した燃料ガス流出口２５に連通する。消火位置では、第２収容室２１ｂとガス通路２４とが操作ロッド６に取付けられた弁体６１によって仕切られ、点火／消火ボタン４の押操作により操作ロッド６が長手方向に移動すると弁体６１が開弁して弁口が開放される。
【００１５】
火力調節装置１の装置本体１０にはガス通路１１ａ、１１ｂとチャンバ１２とが形成されている。一端がガスバルブ２の燃料ガス流出口２５に連通するガス通路１１ａ、１１ｂは折れ曲って形成され、他端には、ガスバーナーの混合管Ｍに燃料ガスを噴射する噴射ノズル７が装着されている。また、装置本体１０には、ガスバルブ２の燃料ガス流出口２５に対向して上方に延びる案内路１３が、ガス通路１１ａ、１１ｂに連通して開設されている。該案内路１３には、通路面積を増減して噴射ノズル７への燃料ガスのガス供給量を調節する可動弁である絞り弁１４が昇降運動自在に挿入されている。この場合、絞り弁１４が上昇すると通路面積が広がり、逆に下降すると通路面積が小さくなるように設定されている。
【００１６】
絞り弁１４にはピン１４ａが突出して嵌入され、該ピン１４ａは装置本体１０に取付けられた案内板Ｇに形成された斜め方向の長穴１４ｂを挿通している。また、該ピン１４ａの先端部はコンロ本体の前面に設けた火力調節レバー８に係止され、火力調節レバー８の回動に連動して絞り弁１４が昇降運動する。即ち、火力調節レバー８を強火位置にした場合には、ピン１４ａが長穴１４ｂの上方に導かれて絞り弁１４が上昇位置に保持される。他方で、弱火位置にした場合にはピン１４ａが長穴１４ｂの下方に導かれて絞り弁１４が下降位置に保持される。
【００１７】
チャンバ１２はゴム等の弾性体からなるダイヤフラム１５で隔絶された上流室１２ａ及び下流室１２ｂを有する。上流室１２ａ及び下流室１２ｂは、装置本体１０に形成された後述の第１及び第２の連通路１６、１７ａ、１７ｂを介して絞り弁１４の上流側及び下流側のガス通路１１ａ、１１ｂにそれぞれ接続されている。そして、急速絞り操作が行われると、上流室１２ａから、圧力が急激に低下した下流室１２ｂの方向にダイヤフラム１５が押されることで下流室１２ｂ内に蓄えられた燃料ガスを第２連通路１７ａ、１７ｂを介してガス通路１１ｂに押し出す。そして、この押し出された燃料ガスが補充されることでガス供給量の減少速度を緩和し、ガスバーナーの失火が防止される。
【００１８】
ここで、ガス通路１１ａ、１１ｂに絞り弁１４を設けた上述の構成では、ガス源の供給ガス圧が変動して高くなると、下流側のガス通路１１ｂ内の圧力は上流側のガス通路１１ａ内の圧力より遅れて上昇する。この場合、ダイヤフラム１５は、ガス通路１１ａとガス通路１１ｂとの間に生じた圧力差により下流室１２ｂの容積を減少させる方向に移動する。このダイヤフラム１５の移動を制限するため、チャンバ１２の下流室１２ｂ内にダイヤフラム１５を付勢するばね１８を縮設した。強火状態においてばね１８は、ダイヤフラム１５の中央部１５ａが上流室１２ａの内面に設けた弁座１９ａに着座するようにダイヤフラム１５を付勢している。尚、弁座１９ａには、該弁座１９ａにダイヤフラム１５の中央部１５ａが着座した状態で上流側のガス通路１１ａと上流室１２ａとが同じ圧力になるように複数の開口が設けられている。また、下流室１２ｂの内壁面には、弁座１９ａに対向してばね１８の位置決めを行う凸状のストッパ１９ｂが設けられている。
【００１９】
ところで、ガスバーナーを消火すると、電磁安全弁２２及び弁体６１が閉弁されるため、弁体６１より下流側のガス通路１１ａ、１１ｂ及びチャンバ１２内は大気開放され、この状態で長時間放置するとガス通路１１ａ、１１ｂ及びチャンバ１２内部は空気に置換され、下流室１２ｂ内には空気が充満した状態になる。このため、長時間放置した後にガスバーナーの点火を行い、その後に急速絞り操作が行われると、下流室１２ｂ内の空気が下流側のガス通路１１ｂに補充されることでガス供給量の減少速度は緩和されず、空気過剰によりガスバーナーが失火する場合がある。
【００２０】
本実施の形態では、下流側のガス通路１１ｂに燃料ガスを流した場合に、該ガス通路１１ｂに、該ガス通路１１ｂ内部の圧力が部分的に降下した領域が形成されるように、燃料ガスの流速を増加させる絞り部１１ｃを設けると共に、絞り部１１ｃと下流室１２ｂとを、及び絞り部１１ｃの上流側のガス通路１１ｂと下流室１２ｂとをそれぞれ連通するように、相互に隔絶された２本の第２連通路１７ａ、１７ｂを開設した。
【００２１】
次に、本発明の火力調節装置１の作用を図１及び図２を参照して説明する。ガスバーナーを消火した後、長時間放置した状態から点火／消火ボタン４を操作してガスバーナーの点火操作を行うと、ガスバルブ２が操作されて燃料ガスが該ガスバルブ２を介してガス通路１１ａ、１１ｂに流入する。この場合、ガスバーナーの点火操作の安全性などの観点から、例えば、絞り弁１４は中火位置に移動される。
【００２２】
下流側のガス通路１１ｂに燃料ガスが流れると、該ガス通路１１ｂには絞り部１１ｃが設けられているので、該絞り部１１ｃを通過する燃料ガスの流速Ｖ１は、該絞り部１１ｃの上流側のガス通路１１ｂを通過する燃料ガスの流速Ｖ２より大きくなる。この場合、絞り部１１ｃにおける圧力は、絞り部１１ｃの上流側のガス通路１１ｂにおける圧力より低くなるので、一方の第２連通路１７ｂから、下流室１２ｂを介して他方の第２連通路１７ａへのガス流が生じる。これにより、下流室１２ｂ内部の空気が、他方の第２連通路１７ａへと押し出されてガス通路１１ｂに排出されると共に、絞り部１１ｃの上流側のガス通路１１ｂから一方の第２連通路１７ｂを介して下流室１２ｂに燃料ガスが吸込まれ、下流室１２ｂ内部の空気が燃料ガスに置換される。
【００２３】
図３は、他の実施形態の火力調節装置１を示す。この場合、ガス通路１１ｂにはガス通路１１ｂの内方に向かって隆起させた隆起部１１ｄが設けられている。該隆起部１１ｄは、ガス通路１１ｂ内に燃料ガスを流した場合に、下流側に位置する隆起部１１ｄの背面１１ｅの近傍がガス流に対する死角となることで、ガス通路１１ｂ内に、圧力が部分的に降下した領域をつくる。
【００２４】
そして、圧力が降下した領域とチャンバ１２の下流室１２ｂとを、並びに隆起部１１ｄの上流側のガス通路１１ｂと下流室１２ｂとを連通するように相互に隔絶された２本の第２連通路１７ａ、１７ｂを開設した。ここで、ガス通路１１ｂを流れる燃料ガスが積極的に下流室１２ｂに取込まれ易くするため、ガス通路１１ｂ内のガス流と、隆起部１１ｄの上流側のガス通路に通じる一方の第２連通路１７ｂの中心線とがなす角度が鈍角となるように、第２連通路１７ｂを傾斜して形成した。尚、一方の第２連通路１７ｂは、隆起部１１ｄの正面側からガス通路１１ｂに開口するように、断面Ｌ字状に形成することもできる。
【００２５】
【発明の効果】
以上に説明したように、本発明の火力調節装置では、ガスバーナーの点火操作に伴ってガス通路に燃料ガスを流すと、チャンバの下流室内部の空気が燃料ガスに置換されるので、長時間放置した後にガスバーナーの点火を行った後に急速絞り操作が行われても、ガスバーナーの失火を確実に防止できる。
【図面の簡単な説明】
【図１】火力調節装置の構成を説明する断面図
【図２】ガス通路に燃料ガスを流したときの火力調節装置内部の様子を説明する図
【図３】ガス通路に燃料ガスを流したときの他の実施形態の火力調節装置内部の様子を説明する図
【符号の説明】
１    火力調節装置
２    ガスバルブ
１１ａ、１１ｂ  ガス通路
１１ｃ  絞り部
１２  チャンバ
１２ａ、１２ｂ  上流室及び下流室
１４  絞り弁
１６、１７ａ、１７ｂ  連通路
【図１】
0004233237.tif 000002
【図２】
0004233237.tif 000003
【図３】
0004233237.tif 000004